(57)【要約】【解決手段】上部フレーム１と、底部２と、上部フレームにその上端部が枢支されたはね上げ側壁３と、上部分割側壁４’と下部分割側壁４”とを有する分割側壁４とからなる折り畳みコンテナーにおいて、下部分割側壁の下端部に形成された凹部４ａに、水平ヒンジピン５を架橋するとともに、底部の周枠部２ｂに片持ち状に形成され、且つ、水平ヒンジピンが係合される係止フック６と底部との間を連結する補強連結リブ１０を形成したものである。【効果】係止フックの強度や剛性が増強され、従って、係止フックの損傷を防止することができるとともに、係止フックの上下方向の変動が抑制され、下部分割側壁の回動の際における、フック部に係合されている水平ヒンジピンの振れが抑制されるので、下部分割側壁の円滑な回動が実現できる。【選択図】図２
2004161302.tif 000002
【特許請求の範囲】
【請求項１】
上部フレームと、底部と、上部フレームにその上端部が枢支されたはね上げ側壁と、上部分割側壁と下部分割側壁とを有する分割側壁とからなる折り畳みコンテナーにおいて、下部分割側壁の下端部に形成された凹部に、水平ヒンジピンを架橋するとともに、底部の周枠部に片持ち状に形成され、且つ、水平ヒンジピンが係合される係止フックと底部との間を連結する補強連結リブを形成したことを特徴とする折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
図３〜図７を用いて、従来の折り畳みコンテナーについて説明する。
【０００３】
折り畳みコンテナーは、上部フレーム１と、底部２と、上部フレーム１にその上端部がヒンジ連結された、折り畳みコンテナーの内側方向に回動可能な側壁（以下、この側壁を、はね上げ側壁という。）３と、上下に分割されているとともに、適当なヒンジ部を介して連結された側壁（以下、この側壁を、分割側壁という。）４とを有しており、分割側壁４は、ヒンジ部を挟んで上方に位置する上部分割側壁４’と、ヒンジ部を挟んで下方に位置する下部分割側壁４”とから構成されており、且つ、上部分割側壁４’の上端部が、上部フレーム１にヒンジ連結されており、また、下部分割側壁４”の下端部が、底部２にヒンジ連結されている。
【０００４】
図３に示されている箱型状態の折り畳みコンテナーの略垂直状のはね上げ側壁３を、折り畳みコンテナーの内部方向に回動させて、図４に示されているように、略水平状態とし、次いで、分割側壁４を構成する上部分割側壁４’と下部分割側壁４”を連結しているヒンジ部を、折り畳みコンテナーの内部方向に移動させて、上部分割側壁４’と下部分割側壁４”とを重ねることにより、箱型状態の折り畳みコンテナーを、図５に示されているように、高さの低いコンパクトな状態に折り畳むことができるように構成されている。また、底部２に対して上部フレーム１を持ち上げて、略水平状態に重ねられている上部分割側壁４’と下部分割側壁４”を、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【０００５】
分割側壁４を構成する下部分割側壁４”の下端部の中央領域には、所定の間隔で複数の凹部４ａが形成されており、凹部４ａを構成する相対する側板間には、水平ヒンジピン５が架橋されている。また、下部分割側壁４”の下端部の両端付近には、支持片４ｂが形成されており、支持片４ｂと該支持片４ｂと相対する下部分割側壁４”の下端部との間には、端部凹部４ｃか形成されており、更に、支持片４ｂには、水平孔４ｂ１が穿設されているとともに、支持片４ｂと対向する側板にも水平孔（図示されていない。）が穿設されている。
【０００６】
底部２は、平面形状が略長方形状で、上面が平坦な底板部２ａと、底板部２ａの周縁を囲むように、且つ、底板部２ａに対して略垂直に形成された周枠部２ｂとを有している。また、周枠部２ｂを構成する長辺枠２ｂ１の内面には、水平部６ａと、水平部６ａの先端から下方に向かうフック部６ｂとからなる係止フック６が、片持ち状に形成されており、また、係止フック６のフック部６ｂの下方に位置する底板部２ａには、係止突起７が突設されている。係止フック６は、上述した下部分割側壁４”の下端部に形成された凹部４ａを架橋する水平ヒンジピン５に対応して形成されている。更に、周枠部２ｂを構成する長辺枠２ｂ１の両端部付近で、且つ、長辺枠２ｂ１の近傍に位置する底板部２ａには、所定の間隔を置いて、一対の支持突片８が立設されており、支持突片８には、水平孔８ａが穿設されている。なお、係止突起７は、係止フック６のフック部６ｂの下方に位置する底板部２ａに形成する必要はなく、係止フック６から離れた位置に突設することもできる。
【０００７】
下部分割側壁４”の下端部に形成された凹部４ａに架橋された水平ヒンジピン５を、底部２の周枠部２ｂを構成する長辺枠２ｂ１に配設された係止フック６のフック部６ｂと、該フック部６ｂの下方に位置する底板部２ａに突設された係止突起７と間に形成されている間隙に嵌入し、水平ヒンジピン５を、係止フック６のフック部６ｂに係合するとともに、下部分割側壁４”の下端部の両端付近に形成された支持片４ｂを、底部２の底板部２ａに突設された一対の支持突片８間に嵌合し、更に、下部分割側壁４”に形成された支持片４ｂの水平孔４ｂ１及び底部２の底板部２ａに突設された支持突片８の水平孔８ａに、周枠部２ｂを構成する短辺枠２ｂ２の両端部に穿設された透孔２ｂ２’から、嵌合ピン９を嵌入することにより、下部分割側壁４”と底部２とがヒンジ連結されるように構成されている。
【０００８】
上述した構成を有する折り畳みコンテナーは、実用新案登録第２６００８５４号公報、実用新案登録第２５８９１６７号公報、実公平７−８４２０号公報等に開示されている。
【０００９】
【発明が解決しようとする課題】
上述した従来の折り畳みコンテナーにおいては、下部分割側壁４”と底部２とのヒンジ連結部を構成する底部２側の係止フック６が、底部２の周枠部２ｂの内面から略水平方向に片持ち状に延在しているので、下部分割側壁４”に負荷が加わり下部分割側壁４”が大きく変動すると、係止フック６が損傷するという問題があった。
【００１０】
また、係止フック６が、片持ち状に、底部２の周枠部２ｂに形成されているので、係止フック６のフック部６ｂが上下方向に移動し易く、従って、下部分割側壁４”の回動の際に、フック部６ｂに係合している水平ヒンジピン５が振れて、下部分割側壁４”の回動が円滑に行われないという問題があった。更に、係止フック６が振れなくても、水平ヒンジピン５が水平方向に移動し易いので、従って、下部分割側壁４”の回動が円滑に行われないという問題があった。
【００１１】
更にまた、係止フック６の強度を高めるために、係止フック６や周枠部２ｂの肉厚を厚くすると、折り畳みコンテナーの重量が増加するという問題があった。
【００１２】
本発明の目的は、上述した従来の折り畳みコンテナーが有する課題を解決することにある。
【００１３】
【課題を解決するための手段】
本発明は、上述した目的を達成するために、上部フレームと、底部と、上部フレームにその上端部が枢支されたはね上げ側壁と、上部分割側壁と下部分割側壁とを有する分割側壁とからなる折り畳みコンテナーにおいて、下部分割側壁の下端部に形成された凹部に、水平ヒンジピンを架橋するとともに、底部の周枠部に片持ち状に形成され、且つ、水平ヒンジピンが係合される係止フックと底部との間を連結する補強連結リブを形成したものである。
【００１４】
【実施例】
以下に、本発明の実施例について説明するが、本発明の趣旨を越えない限り何ら、本実施例に限定されるものではない。また、本発明の折り畳みコンテナーは、下部分割側壁と底部とのヒンジ連結部を構成する底部側の係止フックの構成が相違する以外は、実質的に、上述した従来の折り畳みコンテナーと同じ構成を有しているので、同じ構成部材については、同じ符号を使用するとともに、その詳細な説明は省略する。
【００１５】
本実施例においても、底部２の周枠部２ｂを構成する長辺枠２ｂ１の内面には、水平部６ａと、水平部６ａの先端から下方に向かうフック部６ｂとからなる係止フック６が、片持ち状に形成されている。
【００１６】
また、本実施例においては、少なくとも、底部２の周枠部２ｂを構成する長辺枠２ｂ１に形成された係止フック６を構成する水平部６ａと、底部２の底板部２ａとの間を連結する補強連結リブ１０が形成されている。補強連結リブ１０は、周枠部２ｂを構成する長辺枠２ｂ１にも連結することができる。
【００１７】
上述したように、少なくとも、底部２の周枠部２ｂを構成する長辺枠２ｂ１に形成された係止フック６を構成する水平部６ａと、底部２の底板部２ａとの間を連結する補強連結リブ１０を形成したことにより、係止フック６の強度や剛性が増強され、従って、係止フック６の損傷を防止することができるとともに、係止フック６のフック部６ｂの上下方向の変動が抑制され、下部分割側壁４”の回動の際における、フック部６ｂに係合されている水平ヒンジピン５の振れが抑制されるので、下部分割側壁４”の円滑な回動が実現できる。
【００１８】
更に、少なくとも、底部２の周枠部２ｂを構成する長辺枠２ｂ１に形成された係止フック６を構成する水平部６ａと、底部２の底板部２ａとの間を連結する補強連結リブ１０を形成したことにより、下部分割側壁４”に形成された凹部４ａに架橋された水平ヒンジピン５の係止フック６内における水平移動が抑制されるので、従って、下部分割側壁４”の回動がより円滑に行われることになる。
【００１９】
更にまた、少なくとも、底部２の周枠部２ｂを構成する長辺枠２ｂ１に形成された係止フック６を構成する水平部６ａと、底部２の底板部２ａとの間を連結する補強連結リブ１０を形成したことにより、係止フック６及び周枠部２ｂや底板部２ａ等を含め底部２の肉厚を薄くことができるので、折り畳みコンテナー全体の重量を軽減化することができる。
【００２０】
【発明の効果】
本発明は、以上説明したように構成されているので、以下に記載されるような効果を奏する。
【００２１】
下部分割側壁の下端部に形成された凹部に、水平ヒンジピンを架橋するとともに、底部の周枠部に片持ち状に形成され、且つ、水平ヒンジピンが係合される係止フックと底部との間を連結する補強連結リブを形成したので、係止フックの強度や剛性が増強され、従って、係止フックの損傷を防止することができるとともに、係止フックの上下方向の変動が抑制され、下部分割側壁の回動の際における、フック部に係合されている水平ヒンジピンの振れが抑制されるので、下部分割側壁の円滑な回動が実現できる。
【００２２】
下部分割側壁の下端部に形成された凹部に、水平ヒンジピンを架橋するとともに、底部の周枠部に片持ち状に形成され、且つ、水平ヒンジピンが係合される係止フックと底部との間を連結する補強連結リブを形成したので、水平ヒンジピンの係止フック内における水平移動が抑制されるので、従って、下部分割側壁の回動がより円滑に行われる。
【００２３】
下部分割側壁の下端部に形成された凹部に、水平ヒンジピンを架橋するとともに、底部の周枠部に片持ち状に形成され、且つ、水平ヒンジピンが係合される係止フックと底部との間を連結する補強連結リブを形成したので、係止フック及び底部の肉厚を薄くことができ、従って、折り畳みコンテナー全体の重量を軽減化することができる。
【図面の簡単な説明】
【図１】図１は本発明の折り畳みコンテナーを構成する下部分割側壁と底部の部分分解斜視図である。
【図２】図２は本発明の折り畳みコンテナーを構成する下部分割側壁と底部の垂直側断面図である。
【図３】図３は従来の折り畳みコンテナーが箱型に組み立てられた状態の斜視図である。
【図４】図４は従来の折り畳みコンテナーの組み立て途中或いは折り畳み途中の斜視図である。
【図５】図５は従来の折り畳みコンテナーが折り畳まれた状態の斜視図である。
【図６】図６は従来の折り畳みコンテナーを構成する下部分割側壁と底部の部分分解斜視図である。
【図７】図７は従来の折り畳みコンテナーを構成する下部分割側壁と底部の垂直側断面図である。
【符号の説明】
１・・・・・・・・上部フレーム
２・・・・・・・・底部
３・・・・・・・・はね上げ側壁
４・・・・・・・・分割側壁
４’・・・・・・・上部分割側壁
４”・・・・・・・下部分割側壁
５・・・・・・・・水平ヒンジピン
６・・・・・・・・係止フック
１０・・・・・・・補強連結リブ
【図１】
2004161302.tif 000003
【図２】
2004161302.tif 000004
【図３】
2004161302.tif 000005
【図４】
2004161302.tif 000006
【図５】
2004161302.tif 000007
【図６】
2004161302.tif 000008
【図７】
2004161302.tif 000009